(57)【要約】【課題】  バストアップ効果が大きく、手を上げ下げした場合もバストアップ効果のある箇所がずれ上がったりしないようなインナー・ウェアを提供する。【解決手段】  緯編により筒状に編成された身頃を有するインナー・ウェアであって、編目を全て平編とする平編組織よりもコース方向の伸びが小さな編組織が身頃を一周して形成されており、この編組織は前身頃においては両脇間に帯状に延在してアンダーバスト部４を構成する。アンダーバスト部の上側に隣接してバストサポート部５、６が両脇間に帯状に延在して配置され、バストサポート部はアンダーバスト部の編組織よりもコース方向の伸びおよびウェール方向の伸びがより小さな編組織により編成されており、バストサポート部５の上縁から前身頃の上縁までの間のバスト側部８はアンダーバスト部と同じ編組織またはバストサポート部の編組織よりもコース方向およびウェール方向の伸びが大きい編組織で編成されている。【選択図】        図１
2006144194.tif 000002
【特許請求の範囲】
【請求項１】
緯編により筒状に編成された身頃を有するインナー・ウェアであって、編目を全て平編とする平編組織よりもコース方向の伸びが小さな編組織が身頃を一周して形成されており、該編組織は前身頃においては両脇間に帯状に延在してアンダーバスト部を構成し、該アンダーバスト部の上側に隣接してバストサポート部が両脇間に帯状に延在して配置され、該バストサポート部は前記アンダーバスト部の編組織よりもコース方向の伸びおよびウェール方向の伸びがより小さな編組織により編成されており、前記バストサポート部の上縁から前身頃の上縁までの間のバスト側部は前記アンダーバスト部と同じ編組織または前記バストサポート部の編組織よりもコース方向およびウェール方向の伸びが大きい編組織で編成されていることを特徴とするインナー・ウェア。
【請求項２】
前記バストサポート部の編組織が２種類の編組織からなり、該２種類の編組織の一方の編組織は他方の編組織よりもよりコース方向およびウェール方向の伸びが小さいものであることを特徴とする請求項１記載のインナー・ウェア。
【請求項３】
前身頃のアンダーバスト部と同じ編組織が後身頃において左右の肩から反対側の脇下にかけてＸ字状に配置されて背サポート部を構成し、該Ｘ字状の下端が前記アンダーバスト部に連続していることを特徴とする請求項１または２記載のインナー・ウェア。
【請求項４】
アンダーバスト部の編組織は、コース方向に少なくとも２ウェール分連続した浮き編と２〜４のウェール分の平編とが繰返されるコースと、平編だけのコースとからなり、前記浮き編のあるコースがウェール方向において１〜３コース置きに編成されており、前記バストサポート部はコース方向に少なくとも２ウェール分連続した浮き編がウェール方向に少なくとも２コース分連続している浮き編部が主として編成されていることを特徴とする請求項１〜３のいずれか１項に記載のインナー・ウェア。
【請求項５】
バスト部が平編で編成されており、両バスト部の間のバスト中間部が前記バストサポート部の上縁から衿ぐりまで延在しており、該バスト中間部の編組織は平編組織に比較してウェール方向に縮んだ状態のものであり、該バスト中間部に隣接するバスト部にヒダが形成されていることを特徴とする請求項１〜４のいずれか１項に記載のインナー・ウェア。
【請求項６】
前身頃の内側に伸縮性を有する編地からなるパッド挿入袋が取付けられていることを特徴とする請求項１〜５のいずれか１項に記載のインナー・ウェア。
【請求項７】
前身頃において前記アンダーバスト部から下側の部分および後身頃において前記背サポート部以外の部分が、インナー・ウェアの内面で内方に突出する凸部または畝が多数形成されたマッサージ領域となっていることを特徴とする請求項１〜６のいずれか１項に記載のインナー・ウェア。
【請求項８】
緯編により筒状に編成された身頃を有するインナー・ウェアであって、伸縮性を有する編地からなるパッド挿入袋が前記インナー・ウェアの内側に設けられ、前記パッド挿入袋はその上縁が前身頃の衿ぐりに縫着され、両側縁の上端が袖ぐりに縫着され、両側縁の下端および下縁の少なくとも１箇所においてインナー・ウェアの縦方向に縫着されていることを特徴とするインナー・ウェア。
【発明の詳細な説明】
【技術分野】
【０００１】
本発明は緯編により筒状に編成されたインナー・ウェアに関し、特に、上半身用のインナー・ウェア（例えば長袖や半袖の上衣、キャミソール、タンクトップ、ブラトップ、オール・インワン等）に関するものである。
【背景技術】
【０００２】
インナー・ウェアは肌に直接接触するように着用するものであり、従来では綿糸を主として使用した肌着が多く使用されている。最近では弾性糸などを使用して身体にフィットさせた状態で着用するインナー・ウェアも多用されている。
【０００３】
また、従来、バストアップをするためにはブラジャーを使用するのが一般的であるが、ブラジャーのワイヤーなどにより締付け力が強かったり、ブラジャーの形が個々人に合わなかったりするので、ブラジャーを使用するのを嫌う女性も多い。このような点を改良するものとして、体にフィットするようなインナー・ウェアにバストアップ効果を持たせたものが下記の特許文献１に提案されている。
【０００４】
この特許文献１においては、バストの脇の部分においてアンダーバストの高さから肩までに亘った領域の編地を縦方向の伸びを小さく且つ横伸びによるサポート力が最強になるような編地とし、またバストの下半部の箇所は横伸びとそれによるサポート力が前記脇の部分よりも弱くしてバストアップ領域部としたボディインナーが提案されている。
【０００５】
また、体にフィットするインナー・ウェアとは別に、肌着の内側にパッド挿入用の袋を取付け、その中にパッドを入れてバストの形を整えることが提案されている。例えば、下記の特許文献２には、パッドを挿入するための袋の上端部を衿ぐり部に縫着した肌着が提案されている。下記の特許文献３には、肌着の前身頃の生地をアンダーバスト付近において切替え、その切替え部分を利用して内側に裏当布を縫着することが提案されている。この裏当布は脇縫いと切替え線の部分で縫い合わされているものであり、その上端部が開放されており、そこからパッドを挿入するようにすることが提案されている。
【０００６】
また、下記の特許文献４においても同様に、衿ぐりの部分と脇縫線および袖付け部分にパッド挿入袋を縫着し、パッドを脇から挿入できるようにしたものが提案されている。
【０００７】
【特許文献１】特開平９−５９８０６号公報
【特許文献２】実公昭４１−２３８４４号公報
【特許文献３】特開平１０−３７００３号公報
【特許文献４】特開２００１−３１６９０７号公報
【発明の開示】
【発明が解決しようとする課題】
【０００８】
特許文献１に開示されているインナー・ウェアにおいては、脇の部分の縦方向の伸びを極めて小さいものにすることによりバストアップを図っているものであるが、このように縦方向の伸びが小さいため、腕を動かしたりする際にバストアップ領域部が上方にずれ上がるという問題が生じる。すなわち、バストの豊かな人の場合は、バスト（乳房）によってもバストアップ領域部が上方にずり上がることを押さえることが可能であるが、例えば、バストのサイズがＡカップやＢカップなどのような場合は、腕を上げ下げした場合に縦伸びが小さいためにバストアップ領域部が上にずれ上がってきてしまうという問題が生じる。
【０００９】
また、特許文献２〜４に開示されているものは、バストアップ効果を狙う肌着ではないが、パッドを使用してバストの形を整えるものである。しかしながら、特許文献２に開示されているものでは、衿ぐりの部分にパッド挿入用の袋が縫着されているだけで、その下端部は何の固定もしていないため、挿入したパッドがずれてしまったりするという問題が生じる。
【００１０】
また、特許文献３に開示されている肌着においては、アンダーバスト付近において切替えが形成されており、この部分を使用してパッド挿入用の裏当布が取付けられるため、切替え部分の縫目が厚くなり、ごろごろした感じがして着用感の悪いものとなってしまう。また、本発明におけるような筒状に編んだインナー・ウェアにおいては、特許文献３のように前身頃に切替えを設けることができないので、この方法は採用できない。
【００１１】
特許文献４には、前述した特許文献２および３に開示されているパッド挿入袋の取付け方を改良した肌着が開示されており、このものは袖刳りおよび脇線縫いにおいてパッド挿入袋を縫着しているものである。しかし、本発明が採用するような筒編に編んだ編方では脇縫いなどが存在せず、しかも特許文献４の肌着ではパッド挿入袋が袖ぐりにしっかりと縫付けてあるため、大きく伸縮するようなインナー・ウェアにおいては、このようなパッド挿入袋の取付け方は採用することができないという問題がある。
【００１２】
本発明は前述したような従来の問題点を解決し、体にフィットするように筒状に編まれた伸縮性の大きいインナー・ウェアにおいてバストアップ効果が大きく、しかも手を上げたり下げたりした場合でもバストアップ効果のある箇所がずれ上がったりしないようなインナー・ウェアを提供することを目的とするものである。
【００１３】
本発明は、このような体にフィットし伸縮性の大きなインナー・ウェアにおいて、バストの補整をするためのパッドを挿入するための袋を、身頃の伸縮性に拘らず外観に響かないように装着したインナー・ウェアを提供することである。
【００１４】
また、本発明は、編地の編組織によるバストアップ効果とパッド挿入によるバスト補整効果の両方が期待できるインナー・ウェアを提供することである。
【課題を解決するための手段】
【００１５】
本発明は、緯編により筒状に編成された身頃を有するインナー・ウェアであって、編目を全て平編とする平編組織よりもコース方向の伸びが小さな編組織が身頃を一周して形成されており、該編組織は前身頃においては両脇間に帯状に延在してアンダーバスト部を構成し、該アンダーバスト部の上側に隣接してバストサポート部が両脇間に帯状に延在して配置され、該バストサポート部は前記アンダーバスト部の編組織よりもコース方向の伸びおよびウェール方向の伸びがより小さな編組織により編成されており、前記バストサポート部の上縁から前身頃の上縁までの間のバスト側部は前記アンダーバスト部と同じ編組織または前記バストサポート部の編組織よりもコース方向およびウェール方向の伸びが大きい編組織で編成されていることを特徴とするインナー・ウェアにより前記目的を達成する。
【００１６】
また本発明は、緯編により筒状に編成された身頃を有するインナー・ウェアであって、伸縮性を有する編地からなるパッド挿入袋が前記インナー・ウェアの内側に設けられ、前記パッド挿入袋はその上縁が前身頃の衿ぐりに縫着され、側縁の上端が袖ぐりに縫着され、両側縁の下端および下縁の中央においてインナー・ウェアの縦方向に縫着していることを特徴とするインナー・ウェアにより前記目的を達成する。
【発明の効果】
【００１７】
本発明によれば、バストサポート部は縦方向（ウェール方向）および横方向（コース方向）の伸びが小さく、すなわち外力に対して伸び難く、また伸ばした場合には強い反発力（縮む力）が生じるような編組織により編成されている。このためバスト（乳房）の下方の部分を十分に支えることができる。
【００１８】
しかも本発明によれば、このバストサポート部の下には前記編組織よりは横方向の伸びはあるが、平編などに比べては横方向（コース方向）に伸びが小さい編組織が帯状に胴回りを一周している状態となっている。このように横方向の伸びが小さい編組織によって前身頃側ではアンダーバスト部が形成されており、しかも胴回りを一周した状態であるので、バストサポート部によるバスト支持作用を補強できると共に、手を上げ下ろしした際にもインナー・ウェアのバストサポート部がずり上がったりすることがない。
【００１９】
本発明によれば、バストの脇のバスト側部の部分も横方向の伸びはバストサポート部よりも大きく、また縦方向の伸びもバストサポート部より大きな編組織で編成することによって、腕の上げ下ろしなどによる動きも編地の伸び縮みにより吸収することができる。また、バスト側部の編組織を平編に比較して横方向の伸びおよび縦方向の伸びを小さくすると、バスト側部はバストを両側から締付けるように作用し、バスト部に収めたバスト（乳房）を中央に寄せるとともにバストに寄せた脇の肉をそのまま横から支える役目を行うことができる。
【００２０】
本発明のインナー・ウェアはバストアップ効果が大きいので、ブラジャーを着用する必要がない。
【００２１】
また、本発明においては、前身頃の内側にパッドを挿入するためのパッド挿入袋を設けている。これによりパッドを入れることによりインナー・ウェアの編組織によるバストの保形性とともに、パッドによるバストの補整ができ、美しい胸元を作ることができる。パッドは着用者にあわせて交換することができる。
【００２２】
また、このパッド挿入袋は、本発明のインナー・ウェアの伸縮性が極めて大きいものであるので、同じく伸縮性のある編地が用いられており、しかも伸縮したときにも動かないように、その上縁が衿ぐりに縫着されるとともに極めて短い距離だけ点状に身頃に縫付けているだけである。従って、従来のように連続的に横方向に縫付けた場合は、表側に大きく響いてしまうが、本発明によれば、数カ所縫付けてあるだけなので表側に響くことがなく外観が見苦しくない。また縫着する方向も、アンダーバスト部の箇所でインナー・ウェアの縦方向に縫付けているので、アンダーバストを構成するリブ編風の編組織と同じ方向に縫目が形成されているので、縫付けた縫目が表面側から見て目立たないものである。
【００２３】
本発明のインナー・ウェアにおいてはパッドを使用することにより、編地によるバストアップ効果とパッドによる補整効果とにより、胸元の形状を美しく整えることができ、ブラジャーを着用する必要性が全くなくなる。
【００２４】
本発明のインナー・ウェアは、伸縮性の大きい編糸により編成し、衿ぐりも伸縮性のあるテープを使用して縁取りしているので、衿ぐりが大きく伸び、しかもパッドの交換が簡単に行えるので、授乳期の女性が使用するのに適している。
【発明を実施するための最良の形態】
【００２５】
以下、本発明の実施の形態を図面に基いて説明する。本発明のインナー・ウェアは、緯編で編成するものであり、特に針床の丸編機にて効率よく編成されるものである。
【００２６】
図１は本発明のインナー・ウェアの一実施例を示す正面図である。図２は図１に示したインナー・ウェアの背中部を示す背面図である。図３は図１に示したインナー・ウェアを裏返しにした状態の前身頃側の正面図である。
【００２７】
本発明のインナー・ウェアの編成に使用する糸は、伸縮性が比較的大きな糸がよい。糸使いは特に限定されないが、弾性糸（例えば、ポリウレタン糸を芯糸として、これにナイロン糸をカバリングしたもの）、ウーリーナイロン糸、弾性糸とウーリーナイロン糸とを組合せたもの、その他の伸縮性を有する糸などを使用することが好ましい。従って、本発明におけるインナー・ウェアは、通常の綿素材などで編成されている肌着などに比較して伸縮性の大きなものである。特に、本発明においては、アンダーバストより上の部分を編成する場合の糸は、全てのコースに弾性糸が入っていることが好ましく、少なくとも１コースおきに弾性糸が入っていることが好ましい。
【００２８】
この図示した実施例においては、裾部１および袖口部２を除いて同じ編組織の部分は同じような線（縦線や斜線）や白地で示している。裾部１および袖口部２は袋編で編成されている。
【００２９】
また図１〜３に示した実施例においては、衿ぐり３ａはテープ３によって縁取られている。このテープ３は長手方向に伸縮性を有するものを使用する。
【００３０】
図１においてアンダーバスト部４は平編組織で編まれた編地に比較して横方向（コース方向）の伸びが小さい編組織により編成されている。また、アンダーバスト部４は腹部１２の領域の編組織よりも横方向（コース方向）の伸びが小さい編組織により編成されていることが好ましい。このアンダーバスト部４の上方にバストサポート部５、６が形成されている。バストサポート部の編組織は一種類でもよいが、この実施例では第１バストサポート部５と第２バストサポート部６とにより構成されており、第１バストサポート部５は左右両脇まで伸びており、第２バストサポート部６は両脇からバスト中央まで左右に分かれた状態で設けられている。バストサポート部５、６は、トップバストよりも下側でアンダーバスト部４のすぐ上に位置し、乳房の下方部分を支えるものである。このバストサポート部５、６は横方向（コース方向）および縦方向（ウェール方向）の伸びがアンダーバスト部４よりも小さく、伸ばしたときに元に戻ろうとする力が大きい、すなわちサポート力のある編組織で編まれている。図１に示した実施例においては、第１バストサポート部５よりも第２バストサポート部６の方がより一層、縦方向（ウェール方向）および横方向（コース方向）の伸びが小さくサポート力の大きいものとなっている。
【００３１】
バスト部７はバスト（乳房）のほぼ全体が位置する箇所であり、締付け力の弱い編組織で編成されている。バスト部７の脇は第２バストサポート部６の上縁から肩まで延びる編組織で編成され、このバスト側部８の編組織は横方向（コース方向）に伸びが小さく且つバストサポート部５、６よりも縦方向（ウェール方向）に伸びがある編組織で編成されている。衿ぐり３ａとバスト側部８とバスト部７とに囲まれるバスト上方部９は、バスト部７と同じまたはそれよりは締付け力があるが、バスト側部８などに比べては伸縮性が大きい編組織によって編成されている。
【００３２】
両バスト部７、７の間のバスト中間部１０は、縦方向（ウェール方向）に縮んだ状態の編組織で編成されており、このためバスト部７にはヒダ７ａが形成され、シャーリングがある状態となっている。また、バスト部７は、例えば平編のような締付け力の弱い編組織で編成されているのに対して、第２バストサポート部６は横方向に伸びが小さく、横方向に縮んだ状態で編成されるため、バスト部７の下方の部分にもヒダ７ａが形成されている。従って、バスト部７は膨らみを持った立体的な構造となっている。
【００３３】
図２に示すように、後身頃においては背中部にアンダーバスト部４と同じ編組織によりＸ字状の背サポート部１１が形成されている。すなわち、この編組織の編地部分は平編組織で編まれた編地に比較して横伸びが小さく、そして縦伸びも小さい。このＸ字状背サポート部１１は左肩から右斜め下に向かっておよび右肩から左斜め下に向かって形成されており、姿勢を正しく保つ補助をしている。図２においてＸ字状背サポート部１１の左側の下端１１ａは前身頃における左側（図１では向かって右側）のアンダーバスト部４ａと連続しており、Ｘ字状背サポート部１１の右側の下端１１ｂは前身頃におけるアンダーバスト部４の右側（図１では向かって左側）の部分４ｂに連続しているものである。従って、横方向の伸びが小さい編組織は、アンダーバスト部４から背中部のＸ字状背サポート部１１により胴回りを一周した状態となって編成されている。
【００３４】
従って、横方向の伸びの小さいアンダーバスト部４は胴回り全体をしっかりと締付けているので、腕の動きなどによってもアンダーバスト部４の位置がずれたりしない状態となっている。なお、この実施例では、編目を全て平編みとする平編組織よりもコース方向の伸びが小さな編組織は、同じ編組織で胴回りを一周しているが、前身頃と後身頃とで編組織を変えてもよく、同じ編組織に限定するものではない。
【００３５】
また、同じような編組織によりバスト側部８も編成されており、縦方向の伸びがバストサポート部５、６よりもあるので、腕の動きに追随して伸び縮みができるものである。しかも、バスト側部８の編組織は平編などに比較して横方向の伸びが制限されているので、バスト側部８はバストを両側から締付けるような作用があり、バスト部７に収めたバスト（乳房）を中央に寄せるとともにバストに寄せた脇の肉をそのまま横から支える役目を行う。
【００３６】
図１〜３において格子状の斜線で示した部分はマッサージ領域Ａである。このマッサージ領域Ａは前身頃では腹部１２と両袖部１４と、後身頃ではＸ字状背サポート部１１より下側の下部１３および肩甲骨部１５に設けられている。また袖の付け根の部分１６は、図示した実施例ではマッサージ領域とせず、例えば平編のような編方で編成されている。
【００３７】
この実施例ではマッサージ領域Ａを形成したが、マッサージ領域Ａはインナー・ウェアの内面側に内方に突出する凸部や畝が多数形成されているものであり、体を動かすことによりそれらの凸部や畝によってマッサージ作用が行われるものである。なお、図に示した実施例のインナー・ウェアではマッサージ領域Ａを設けたが、このような内面側に内方に突出した凸部や畝のないものとし、マッサージ領域Ａを設けないインナー・ウェアとしてもよい。
【００３８】
図３は図１および図２に示したインナー・ウェアの前身頃側の裏側を示すものであり、胸の箇所にパッド挿入袋２０が設けられている。パッド挿入袋２０は伸縮性を有する細デニールの糸で編成された編地とすることが好ましい。このような編地を２つ折りにして、その折り山の部分を袋の下縁２３とし、両側縁２２を縫合して袋状とした。パッド挿入袋２０の上縁２１は衿ぐり３ａの形状に合わせて裁断され、衿ぐり３ａに縫着されている。また、編地を２つ折りにして形成されたパッド挿入袋２０の上縁２１から両側縁２２にかけてはインナー・ウェアに接する側の部分２０ａと着用者の肌に接する側の部分２０ｂとが、位置が少しずれた状態にして置くことが好ましい。この衿ぐり３ａに縫着された上縁２１と側縁２２との間の箇所がパッド挿入用開口２６となる。このパッド挿入袋２０は側縁２２の上端２２ａの箇所において、極めて短い距離（例えば１ｃｍ以下）に亘って前記部分２０ａが袖ぐりに縫着されている。また両側縁２２の下端２２ｂおよび下縁２３の箇所は、１箇所または数カ所においてインナー・ウェアの前身頃に縫着される。特に、下縁２３の好ましい縫着箇所は、下縁２３の中央部およびこの中央部と両側縁の下端２２ｂの中間点の３箇所である。この場合、インナー・ウェアを着用した場合、インナー・ウェアの生地が伸びるので、パッド挿入袋２０を縫付けるミシン目はインナー・ウェアの着用時の横伸びに対して抵抗を与えないように、インナー・ウェアの縦方向に対して短い縫目２４とすることが好ましい。また、パッド挿入袋２０の両側縁２２の下端２２ｂおよび下縁２３は、インナー・ウェアのアンダーバスト部４の辺りに位置する程度の長さとしておくことが好ましく、この部分に縫目２４が設けられていると、後に説明するように、アンダーバスト部４の編地は実施例ではリブ編風外観を呈しているので、縦方向の縫目２４はインナー・ウェアの外観上に悪影響を及ぼさない。
【００３９】
また、パッド挿入袋２０の中央においては下縁２３から上縁２１まで延びる縫目２５が設けられ、この縫目２５により左右のパッド挿入室に分けられており、それぞれに二点鎖線で示したパッド２７が挿入される。パッドは交換可能であり、パッド挿入袋２０が伸縮性を有する生地であるので、着用者にあった厚みのものを使用することができる。パッド２７は必要なければ取出して、インナー・ウェアを着用してもよい。
【００４０】
このように本発明においては、パッド挿入袋２０が衿ぐり３ａの箇所でしっかり止め付けられるとともに、両側縁２２の下端２２ｂおよび下縁２３の少なくとも１箇所で止め付けられているので、パッド挿入袋２０が移動することがなく、また、その止め付け距離も極めて短く、点状に近いものであるため、インナー・ウェア本体の伸縮性に悪影響を与えることがない。更に、パッド挿入袋２０自体も伸縮性のある生地であり、インナー・ウェア本体の伸縮性に悪影響を与えることが全くない。
【００４１】
前身頃の肩部と後身頃の肩部の縫合わせは伏せ縫いとしている。このようにすることにより、ゴロつき感をなくして、肌触りをよくした。
【００４２】
以下、本発明のインナー・ウェアの編組織として採用される各部の編組織の実施例について説明する。先ず、アンダーバスト部４、Ｘ字状の背サポート部１１およびバスト側部８などに採用される編地であり、編目を全て平編とする平編組織よりも横方向（コース方向Ｃ）の伸びが小さいような編組織について説明する。この編組織は、例えば、コース方向Ｃに少なくとも２ウェール分連続した浮き編と２〜４ウェール分の平編とが繰返される浮き編のあるコースと、平編だけのコースとからなり、浮き編のあるコースがウェール方向に１〜３コースおきに編成される。この１つの具体的な実施例を図４に示した。
【００４３】
以下に、本発明のインナー・ウェアを一例として八口給糸の丸編機を使用して身頃部を編成する場合について説明する。糸使いの一実施例としては、身頃部は３０デニールのポリウレタン糸を芯糸とし、７０デニール／６８フィラメントのナイロン糸でカバリングした弾性糸と、７０デニール／６８フィラメントのウーリーナイロン糸を組合わせた糸Ｙ１を第１、第３、第５および第７給糸口から供給した。また、第２、第４、第６および第８給糸口には３０デニールのポリウレタン糸を芯糸として、７０デニール／６８フィラメントのナイロン糸でカバリングした弾性糸Ｙ２を供給した。
【００４４】
また、袖部を編成する際には、２０デニールのポリウレタン糸を芯糸として７０デニール／６８フィラメントのナイロン糸でカバリングした弾性糸と７０デニール／６８フィラメントのウーリーナイロン糸を組合わせて糸Ｙ１として使用した。また２０デニールのポリウレタンの糸を芯糸として７０デニール／６８フィラメントのナイロン糸でカバリングした弾性糸を糸Ｙ２として使用した。
【００４５】
糸Ｙ１を編針に供給する場合、ウーリーナイロン糸がインナー・ウェアの裏側、すなわち、肌に接する側に出るようにすると、肌触りがよくなるので好ましく、そのために糸の供給位置をフックの前側にしたり、張力を調整したりして編成すればよい。
【００４６】
また、浮き編をコース方向Ｃに連続して行った場合、ウエルトループ４１となる糸がインナー・ウェアの裏側に位置し、保持ループ４２は表側に位置するので、浮き編がコース方向Ｃに連続して行われるコースを糸Ｙ１により編むようにすることが好ましい。
【００４７】
図４に示した編組織によれば、糸Ｙ１により次のような編組織が編成される。すなわち、コース方向Ｃに連続して３ウェール分（３針分）浮き編が行われ、次に２ウェール分（２針分）平編が行われる。この繰返しがこのコース５１において行われている。そして次のコースは糸Ｙ２により編成され、全ての編針によって平編が編成される。図４の組織ではこの繰返しになっている。すなわち、浮き編のあるコース５１と全て平編のコース５２が交互に繰返されている。
【００４８】
なお、浮き編は編目を保持した編針が編成中にウエルト位置（不作動位置）をとり、編目を保持した編針に糸が新たに供給されない状態とすることにより形成されるものである。すなわち、浮き編が連続して行われている箇所では編目が連続して作られずに、同じコースにおいて次の編目が作られる所まで糸が真直ぐに飛んでいる状態となるものである。この真直ぐに飛んでいる糸がウエルトループ４１である。一方、ウエルト位置の編針に保持された糸はその編針が編成動作を行うと（この実施例では次のコースで編成運動が行われる）、保持ループ４２として編目を形成する（本発明では保持ループ４２によって形成されている編目を浮き編目と称する）。浮き編目４０は表側から見ると普通の平編の編目と同じものであるが、図４では１コース分飛んでいるので長めの編目で表されている。
【００４９】
図４に示した編組織では、ウェール方向Ｗにおいて浮き編目４０が連続して形成されている連続浮き編目ウェール６１がコース方向Ｃに３つ連続しており、そしてウェール方向Ｗにおいて全ての編目が平編で形成されている連続平編目ウェール６２がコース方向Ｃに２つ連続して形成されているものである。このような編組織においては、ウエルトループ４１は平編で編成した場合よりも真直ぐ伸びて、屈曲していない分だけ糸の長さが短い。従って、全ての編目を平編で編んだ編組織に比べて、横方向（コース方向Ｃ）の伸びが小さいものとなっている。また、ウェール方向Ｗ（縦方向）については保持ループ４２により浮き編目４０が作られているが、この編目の糸長は実際には通常の平編による編目の２個分の長さよりも短いものになるので、ウェール方向Ｗ（縦方向）の伸びも全て平編組織にしたものよりも小さいものとなる。
【００５０】
また、図４に示した編組織による編地はリブ編風の外観を有する。すなわち、連続平編目ウェール６２が４ウェール毎に形成されており、この連続平編目ウェール６２の間においては、糸Ｙ２による保持ループ４２が編目を形成し、この編目は平編目であり、インナー・ウェアの表側に現れる。一方、ウエルトループ４１は糸Ｙ２による編目の後側となり、インナー・ウェアの内側において横方向（コース方向Ｃ）に浮いた状態となって延びている。このため、連続平編目ウェール６２と次の連続平編目６２との間では、インナー・ウェアの表側は糸Ｙ２による平編目が、裏側は横方向に浮いた感じで延びた糸Ｙ１がウェール方向Ｗに連続して存在している。このため、連続平編目ウェール４５はインナー・ウェアの表側から見ても裏側から見ても窪んだ状態となるので、この部分の編地は一見してリブ編風の表情を呈する。
【００５１】
バストサポート部５、６はアンダーバスト部４よりも横方向（コース方向Ｃ）および縦方向（ウェール方向Ｗ）の伸びがより小さい編組織により編成されるものである。図５に第１バストサポート部５を編成するための一実施例を示した。図５に示す編組織においては、糸Ｙ１によりコース方向Ｃにおいて２ウェール分連続して浮き編が行われ、次に平編が１目編成され、この繰返しが行われている。また、糸Ｙ２によってコース方向Ｃにおいて４ウェール分（４針分）連続して平編が行われ、２ウェール分（２針分）浮き編が行われることが繰返し行われている。この繰返しがウェール方向Ｗにおいて交互に行われて編成されている。図５に示した編組織においては、糸Ｙ１および糸Ｙ２において浮き編が行われる箇所がウェール方向Ｗにおいて連続しており、従って、浮き編の保持ループ４２は３コース分飛ばした状態で編目が作られる長い編目で表されている。コース方向Ｃに関しては、連続浮き編目ウェール６１が２ウェール分連続し、次に連続平編目ウェール６２が１ウェール分あり、そしてこの繰返しとなっている。従って、この部分の編地もリブ編風の表情を呈する。
【００５２】
図５においては、コース方向Ｃに２ウェール分連続した浮き編がウェール方向Ｗにも３コース分連続している浮き編部（点線で囲った部分であり、この箇所の編成中には編針がウエルト位置にある）４５が編地の殆どを占めている状態である。このように浮き編部４５が多いので横方向（コース方向Ｃ）にも縦方向（ウェール方向Ｗ）にも、この編組織の編地は伸び難いものとなり、前述した図４に示したものよりは遥かに伸び難いものとなる。また、編地を伸ばした場合も元に戻ろうとする力が強いものとなる。
【００５３】
図６は第２バストサポート部６の編組織の一実施例を示すものである。この組織において、例えば、第１給糸口から供給される糸Ｙ１によって連続して３針分（３ウェール分）浮き編が行われ、次に１針分（１ウェール分）平編が行われることが繰返される。次に第２給糸口から供給される糸Ｙ２によっても第１給糸口と同様に３針分浮き編が行われ、次に１針分平編が行われることがコース方向Ｃにおいて繰返される。また、第３給糸口により供給される糸Ｙ１により第１給糸口と同じ編成運動が行われる。次に第４給糸口から供給される糸Ｙ２により全ての編針において編成動作が行われ平編が形成される。
【００５４】
その後、第５、第６および第７給糸口から供給される糸Ｙ１およびＹ２においては、先述した第１、第２および第３給糸口から供給される糸と同じ編成運動が行われる。すなわち、連続して３ウェール分浮き編が行われ、１ウェール分平編が行われることが繰返される。そして、第８給糸口においては全ての編針が編成運動を行い平編が形成される。
【００５５】
このようにして編成された編地は、コース方向Ｃにおいて、連続浮き編目ウェール６１が３ウェール分形成され、次に１ウェール分連続平編目ウェール６２が形成されている。またウェール方向Ｗおいては、浮き編のあるコース５１が３つ連続しており、次に全部平編のコース５２が１つの繰返しである。そのため、浮き編がコース方向Ｃに３ウェール分連続するとともに、ウェール方向Ｗにも３コース分連続して浮き編が行われた浮き編部４５が形成される。このように浮き編が殆どを占めている状態であるので、図５に示した編組織よりもより一層横方向（コース方向Ｃ）の伸びおよび縦方向（ウェール方向Ｗ）の伸びが小さいものとなる。従って、編地を伸ばした状態では元に戻ろうとする力が強く、バストを強い力でサポートすることとなる。また、この部分の編地もリブ編風の表情を呈する。
【００５６】
図７はバスト上方部９の編組織の一例を示すものである。この編組織はバスト部７と同じ編組織でもよいが、この実施例の場合はバスト部７よりは僅かに伸縮性が小さな編組織としている。すなわち、糸Ｙ１により浮き編と平編とをコース方向Ｃにおいて交互に編成しており、次のコースにおいて糸Ｙ２により全て平編で編むことが行われている。ウェール方向Ｗにおいてこの繰返しが行われている。従って、平編による編目の数も多く、浮き編もウェール方向Ｗには１コース分しか飛んでいないので、浮き編目４０もそれ程大きな縮みはなく、他の部分４、５、６の編地などに比べてもバスト上方部９は全体として横方向にも縦方向にも伸縮性がある編地である。
【００５７】
図８はバスト中間部１０の編み方の一例を示すものである。この編組織においては、例えば第１〜第７給糸口においては、給糸口から供給される糸Ｙ１およびＹ２によって、１針分の浮き編と次に１針分の平編がコース方向Ｃに繰返し行われているものである。そして第１給糸口から第７給糸口まで全て同じく編成される。次に、第８給糸口から供給される糸Ｙ２によって全ての編目が平編目で編成される。従って、保持ループ４２によりウェール方向Ｗに長く伸びた状態で表した浮き編目４０が形成される。図８では浮き編目４０は長く伸びているが、実際に編成した状態では保持ループ４２による浮き編目４０はもっと短く縮まっている状態であるので、この編組織による編地は縦方向（ウェール方向）に大きく縮んだ状態であり、縦方向の伸びが少ないものとなる。バスト中間部１０は衿ぐり３ａと第１バストサポート部５との間に延在しており、縦方向の伸びが少ないので、バスト中間部１０により第１バストサポート部５を上方に引き上げる力が作用する。
【００５８】
一方、バスト部７はバストを圧迫しないため締付け力が弱い編組織で編むため、好ましくは平編またはそれに近い編み方としているため、このバスト中間部１０の長さはウェール方向Ｗにおけるコース数は同じでも、長さが短く縮んでいるため、バスト部７にはヒダ７ａが形成される。また、先に説明した第２バストサポート部６の編組織（図６参照）においてウエルトループ４１により横方向（コース方向Ｃ）に編地が縮んだ状態となるため、バスト部７の下方の部分もヒダ７ａが形成されている状態となる。このためバスト部７は立体的な膨らみが形成されている。
【００５９】
図９はマッサージ領域Ａを編成するための編組織の一実施例を示すものである。この図９の編組織は記号で表したものであり、１枡目が１目を表し、黒く塗潰した部分は浮き編が行われる箇所を示し、白い部分は平編が行われる箇所を示している。この図９に示した編組織に編成したものは、ウェール方向Ｗに長く伸びる浮き編目がコース方向Ｃにおいて１ウェールおきに形成されているため、このウェール方向に長く飛んだ浮き編目により、その間のウェール方向の連続平編目コースも縮まる。すなわち、インナー・ウェアの内方に突出した畝を形成する。図９のものでは、ウェール方向Ｗに長い浮き編目が波状に形成されており、２つの並列した波状畝と、また半波長ずらした波状畝が形成され、また、それらの畝で囲まれた部分は凹部となる。
【００６０】
なお、本発明において、マッサージ領域Ａは図９に示したものに限定されることなく、従来公知の凸部を形成したり、ジグザグの畝または格子状の畝を形成したものなどを採用することができる。
【００６１】
図示した実施例の袖の付け根の部分１６は平編としたり、他の編方でもよい。
【００６２】
また、図示した実施例においては長袖インナーで説明したが、本発明は半袖インナー、キャミソール、タンクトップ、バストトップ、オール・インワンなど上半身用の上衣に適用可能である。
【図面の簡単な説明】
【００６３】
【図１】本発明のインナー・ウェアの一実施例を示す正面図である。
【図２】図１に示したインナー・ウェアの背中部を示す背面図である。
【図３】図１に示したインナー・ウェアを裏返しにした状態の前身頃側の正面図である。
【図４】アンダーバスト部、Ｘ字状背サポート部およびバスト側部に採用される編組織の一実施例を示す編目で表した編組織図である。
【図５】第１バストサポート部の編組織の一実施例を示す編目で表した編組織図である。
【図６】第２バストサポート部の編組織の一実施例を示す編目で表した編組織図である。
【図７】バスト上方部の編組織の一実施例を示す編目で表した編組織図である。
【図８】バスト中間部の編組織の一実施例を示す編目で表した編組織図である。
【図９】マッサージ領域Ａの編組織の一実施例の編組織図である。
【符号の説明】
【００６４】
Ａ  マッサージ領域
Ｙ１、Ｙ２  編糸
Ｃ  コース方向
Ｗ  ウェール方向
４  アンダーバスト部
５  第１バストサポート部
６  第２バストサポート部
７  バスト部
８  バスト側部
１１  背サポート部
２０  パッド挿入袋
４０  浮き編目
４１  ウエルトループ
４２  保持ループ
【図１】
2006144194.tif 000003
【図２】
2006144194.tif 000004
【図３】
2006144194.tif 000005
【図４】
2006144194.tif 000006
【図５】
2006144194.tif 000007
【図６】
2006144194.tif 000008
【図７】
2006144194.tif 000009
【図８】
2006144194.tif 000010
【図９】
2006144194.tif 000011